(57)【要約】【課題】許容差補償部材を備えた回路基板半田付け用コネクターの提供。【解決手段】本願発明の回路基板半田付け用コネクター１は、１つの絶縁体２及びその内部の収納空間３に収納された少なくとも１つの縦長のコンタクト４を有し、コンタクト４は回路基板に装着される絶縁体２の脚部５と絶縁体２の頭部６の間を伸長し、少なくとも１つのコンタクト４は、絶縁体の頭部６に接する前端７、差込み部８、主部９、裸の半田域１１及び絶縁体の脚部５に接する後端１０が順次連なって成ることを特徴としている。主部９は、差込み部８に連なる円筒状の曲げ難い係止域１２及び係止域１２と半田域１１の間を伸長している円筒状の変形し易い変形域１３から成り、変形域１３の変形により、少なくとも１つのコンタクト４の差込み部８は、半田域１１に対して横方向に可動である。変形域１３は、内部が空洞に成形され、横方向への変形ができるように複数の隙間１６を備えていることが好ましい。【選択図】図１
2014022368.tif 000002
【特許請求の範囲】
【請求項１】
１つの絶縁体（２）及びその内部の収納空間（３）に収納された少なくとも１つの縦長のコンタクト（４）を有する回路基板半田付け用コネクターであって、
前記コンタクトは、回路基板に装着される絶縁体（２）の脚部（５）と絶縁体（２）の頭部（６）の間を伸長し、
少なくとも１つのコンタクト（４）は、絶縁体の頭部（６）に接する前端（７）、差込み部（８）、主部（９）、裸の半田域（１１）及び絶縁体の脚部（５）に接する後端（１０）が順次連なって成り、
主部（９）は、差込み部（８）に連なる円筒状の曲げ難い係止域（１２）及び係止域（１２）と半田域（１１）の間を伸長している円筒状の変形し易い変形域（１３）から成り、変形域（１３）の変形により、少なくとも１つのコンタクト（４）の差込み部（８）は、半田域（１１）に対して横方向に可動であることを特徴とする回路基板半田付け用コネクター。
【請求項２】
主部（９）の係止域（１２）は、コンタクト（４）の差込み域（８）を収納空間（１３）内に少なくとも横方向に動かないように固定し、
絶縁体（２）と少なくとも１つのコンタクト（４）の間の収納空間（３）内の変形域（１３）に環状空隙（１４）が形成され、
変形域（１３）は、絶縁体（２）に横方向の力が加わると環状空隙（１４）内へと変形可能であることを特徴とする請求項１に記載の回路基板半田付け用コネクター。
【請求項３】
少なくとも１つのコンタクト（４）は、少なくともその変形域（１３）部分は内部が空洞に形成されていることを特徴とする請求項１又は請求項２に記載の回路基板半田付け用コネクター。
【請求項４】
変形域（１３）は、少なくとも１つのコンタクト（４）の縦軸に対して横及び／又は斜めに伸長し、軸方向にずらして配置した２つの隙間（１６）を備え、
それぞれの隙間（１６）は、変形域（１３）の周壁（１８）の少なくとも半分を伸長していることを特徴とする請求項３に記載の回路基板半田付け用コネクター。
【請求項５】
隙間（１６）は、横スリット（１９）及び／又は斜スリット（２１）並びにコンタクト（４）の縦軸に平行に伸長する縦スリット（２０）から成り、
横スリット（１９）及び／又は斜スリット（２１）は、その末端が縦スリット（２０）の中心に連結されて噛み合っていることを特徴とする請求項４に記載の回路基板半田付け用コネクター。
【請求項６】
縦スリット（２０）は、横スリット（１９）及び／又は斜スリット（２１）よりも幅広であることを特徴とする請求項５に記載の回路基板半田付け用コネクター。
【請求項７】
軸方向にずらして配置された縦スリット（２０）は、上下に配置されていることを特徴とする請求項５又は請求項６に記載の回路基板半田付け用コネクター。
【請求項８】
隙間（１６）は、変形域（１３）の周辺域において、回転対称に互いにずらして配置されていることを特徴とする請求項４ないし請求項７のいずれか１項に記載の回路基板半田付け用コネクター。
【請求項９】
変形域（１３）は、コンタクト（４）の縦方向に螺旋状に、変形域（１３）の周壁（１８）を少なくとも３／４に渉って伸長する少なくとも１つの隙間（１６）を備えていることを特徴とする請求項３に記載の回路基板半田付け用コネクター。
【請求項１０】
少なくとも１つのコンタクト（４）の少なくとも変形域（１３）は、塑性変形可能な材料から成ることを特徴とする請求項１ないし請求項９のいずれか１項に記載の回路基板半田付け用コネクター。
【請求項１１】
少なくとも１つのコンタクト（４）は、一体部品として製造されていることを特徴とする請求項１ないし請求項１０のいずれか１項に記載の回路基板半田付け用コネクター。
【請求項１２】
少なくとも１つのコンタクト（４）は、切削加工品、旋盤加工品又はプレス曲げ加工品であることを特徴とする請求項１ないし請求項１１のいずれか１項に記載の回路基板半田付け用コネクター。
【請求項１３】
少なくとも２つの請求項１ないし請求項１２のいずれか１項に記載の回路基板半田付け用コネクター（１）を回路基板に半田付けしたコネクター配置。
【発明の詳細な説明】
【技術分野】
【０００１】
本発明は、１つの絶縁体及びその内部の収納空間に収納された少なくとも１つの縦長のコンタクトを有し、前記コンタクトは、回路基板に装着される前記絶縁体の脚部と前記絶縁体の頭部の間を伸長し、少なくとも１つの前記コンタクトは、前記絶縁体の頭部に接する前端、差込み部、主部、裸の半田域及び絶縁体の脚部に接する後端が順次連なって成る回路基板半田付け用コネクターに関する。
【背景技術】
【０００２】
コネクターにおける１つの問題は、回路基板への半田付けにより、ずれが生じても、ソケット又はプラグ状のコンタクトを問題なく収納部に配列された互いに差込みできるソケット・プラグ式コネクターを供給することである。特に、半田付けすべき回路基板半田付け用コネクターが多数のコンタクトを備えるか、又は複数のソケット及び／又はプラグコネクターが１つの回路基板に配置され、共通のプラグにより連結される場合に、この問題が生ずる。個々のコンタクトのずれ、従ってコンタクトを収納している絶縁体のずれは、回路基板、コネクターの製造許容差並びにソケット式又はプラグ式コネクターを回路基板の半田付けにより生成する。このことは、特に表面実装部品としての基板回路装着用コネクターにおいては大きな問題である。そのようなコネクターの絶縁体の位置が設計通りでないと、障害が生ずることがあり、空間又は隙間に収納された半田付けされたコネクターを、ハウジングのそれぞれの絶縁体に包み込み且つ／又は噛み合わせるか且つ／又は適合させる必要がある。
【０００３】
このような問題を解決するのに、それぞれの絶縁体にコンタクトを可動に収納することが知られている。例えば、特許文献１及び特許文献２に示されている。しかしながら、ここではコンタクトのずれは補正されていないので、半田付けされた回路基板用コンタクトを対応するコネクターのコンタクトと連結するには困難であり半田付けされた位置に大きな力が加わる。このため、最終的には半田付け位置が損傷することがある。更に、半田付けされた基板回路装着用コネクターのコンタクト及び／又は対応するコネクターのコンタクトが損傷して、使用できなくなることもある。
【先行技術文献】
【特許文献】
【０００４】
【特許文献１】欧州特許出願公開第１８６１８９８Ａ１号明細書
【特許文献２】欧州特許出願公開第０８０６８１４Ａ１号明細書
【発明の概要】
【発明が解決しようとする課題】
【０００５】
上記の背景技術に基づき、本発明は、少なくとも回路基板半田付け用コネクターの回路基板に半田付けされたコンタクトと、金属製のコンタクトを収納する絶縁体の収納部との間の許容差の補償の可能性を提案することにある。
【課題を解決するための手段】
【０００６】
上記課題は、以下の（１）〜（１３）のいずれかの構成により解決される。
【０００７】
（１）１つの絶縁体及びその内部の収納空間に収納された少なくとも１つの縦長のコンタクトを有する回路基板半田付け用コネクターであって、前記コンタクトは、回路基板に装着される前記絶縁体の脚部と前記絶縁体の頭部の間を伸長し、少なくとも１つの前記コンタクトは、前記絶縁体の頭部６に接する前端、差込み部、主部、裸の半田域及び前記絶縁体の脚部に接する後端が順次連なって成り、前記主部は、前記差込み部に連なる円筒状の曲げ難い係止域及び前記係止域と前記半田域の間を伸長している円筒状の変形し易い変形域から成り、前記変形域の変形により、少なくとも１つの前記コンタクトの前記差込み部は、前記半田域に対して横方向に可動であることを特徴とする回路基板半田付け用コネクター。
【０００８】
（２）前記主部の前記係止域は、前記コンタクトの前記差込み域を前記収納空間内に少なくとも横方向に動かないように固定し、前記絶縁体と少なくとも１つの前記コンタクトの間の前記収納空間内の前記変形域に環状空隙が形成され、前記変形域は、前記絶縁体に横方向の力が加わると前記環状空隙内へと変形可能であることを特徴とする前記（１）に記載の回路基板半田付け用コネクター。
【０００９】
（３）少なくとも１つの前記コンタクトは、少なくともその変形域部分は内部が空洞に形成されていることを特徴とする前記（１）又は（２）に記載の回路基板半田付け用コネクター。
【００１０】
（４）前記変形域は、少なくとも１つの前記コンタクトの縦軸に対して横及び／又は斜めに伸長し、軸方向にずらして配置した２つの隙間を備え、それぞれの前記隙間は、前記変形域の周壁の少なくとも半分を伸長していることを特徴とする前記（３）に記載の回路基板半田付け用コネクター。
【００１１】
（５）前記隙間は、横スリット及び／又は斜スリット並びに前記コンタクトの縦軸に平行に伸長する縦スリットから成り、前記横スリット及び／又は前記斜スリットは、その末端が前記縦スリットの中心に連結されて噛み合っていることを特徴とする前記（４）に記載の回路基板半田付け用コネクター。
【００１２】
（６）前記縦スリットは、前記横スリット及び／又は前記斜スリットよりも幅広であることを特徴とする前記（５）に記載の回路基板半田付け用コネクター。
【００１３】
（７）軸方向にずらして配置された前記縦スリットは、上下に配置されていることを特徴とする前記（５）又は（６）に記載の回路基板半田付け用コネクター。
【００１４】
（８）前記隙間は、前記変形域の周辺域において、回転対称に互いにずらして配置されていることを特徴とする前記（４）ないし（７）のいずれか１項に記載の回路基板半田付け用コネクター。
【００１５】
（９）前記変形域は、前記コンタクトの縦方向に螺旋状に、前記変形域の前記周壁を少なくとも３／４に渉って伸長する少なくとも１つの前記隙間を備えていることを特徴とする前記（３）に記載の回路基板半田付け用コネクター。
【００１６】
（１０）少なくとも１つの前記コンタクトの少なくとも前記変形域は、塑性変形可能な材料から成ることを特徴とする前記（１）ないし（９）のいずれか１項に記載の回路基板半田付け用コネクター。
【００１７】
（１１）少なくとも１つの前記コンタクトは、一体部品として製造されていることを特徴とする前記（１）ないし（１０）のいずれか１項に記載の回路基板半田付け用コネクター。
【００１８】
（１２）少なくとも１つの前記コンタクトは、切削加工品、旋盤加工品又はプレス曲げ加工品であることを特徴とする前記（１）ないし（１１）のいずれか１項に記載の回路基板半田付け用コネクター。
【００１９】
（１３）少なくとも２つの前記（１）ないし（１２）のいずれか１項に記載の回路基板半田付け用コネクターを回路基板に半田付けしたコネクター配置。
【図面の簡単な説明】
【００２０】
【図１】回路基板半田付け用コネクターの縦断面を示す斜視図
【図２ａ】コネクターのコンタクトの１実施例を示す平面図及び斜視図
【図２ｂ】コネクターのコンタクトの１実施例を示す平面図及び斜視図
【図２ｃ】コネクターのコンタクトの１実施例を示す平面図及び斜視図
【図２ｄ】コネクターのコンタクトの１実施例を示す平面図及び斜視図
【図２ｅ】コネクターのコンタクトの１実施例を示す平面図及び斜視図
【図３ａ】図２ａのコンタクトの展開図
【図３ｂ】図２ｂのコンタクトの展開図
【図３ｃ】図２ｃのコンタクトの展開図
【図３ｄ】図２ｄのコンタクトの展開図
【図３ｅ】図２ｅのコンタクトの展開図
【図４ａ】図２ａのコンタクトの変形域の部分拡大図
【図４ｂ】図２ｂのコンタクトの変形域の部分拡大図
【図４ｃ】図２ｃのコンタクトの変形域の部分拡大図
【発明を実施するための形態】
【００２１】
本発明による回路基板半田付け用コネクターでは、差込み部がプラグ又はソケットを備え、差込み部及び回路基板に差込み又は表面実装用の半田域が形成されている。本発明では、主部が差込み部に連結している円筒状の曲げ難い係止域並びに半田域を伸長している円筒状の変形し易い変形域を備えているので、変形域が変形する際に、コンタクトの差込み部は半田域に対して横方向に動かすことができる。差込み部は、係止域を介して収納空間に導入され、絶縁体に横方向の力が加わって変形域が変形しても影響を受けない。半田域は、回路基板に半田付けされて固定されるので、位置及び形状が安定する。主部の係止域及び半田域に対する位置は、変形域が僅かな力により横方向に変形するように、設定することが好ましい。これにより、僅かな位置修正をするため、回路基板に対する絶縁体の横方向への移動が可能となり、コンタクトの差込み部は変形しない。
【００２２】
変形域が、安定性の低い所定の部分を有することは目的に適っている。基本的には、差込み部が半田域に対して回路基板に平行な任意の方向に問題なく移動でき、半田された箇所とコンタクトの係止域との間において回路基板に対して垂直及び／又は平行な大きな力が生じないように所定の部分が形成、配置される。このようにして、僅かな位置ずれの場合には、絶縁体は常に収納部に連結することが可能であり、回路基板半田付け用コネクターの絶縁体の頭部において、差込み部のコンタクトは、対応するコネクターのコンタクトと常に連結可能となる。
【００２３】
主部の係止域は、収納空間において少なくとも横方向に移動できないコンタクトの差込み部に固定されることが好ましく、収納空間の変形域における絶縁体とコンタクトの間に環状空隙が形成されて、絶縁体が横方向に押されると変形域は環状空隙内へと変形する。環状空隙により、変形域は収納空間の内壁と横方向の間隔が保たれるので、そこにおいて主部はコンタクトの縦軸に対して曲げ又は折り曲げることが可能となる。収納空間の壁は、ずれを限定する役割も果たしている。しかしながら、コンタクトの変形域を囲む収納空間の個々の壁を無くすことも可能である。十分な壁厚が確保できない小さな回路基板半田付け用コネクターでは、このことが避けがたい。全てのコンタクトに対する変形域は、半田域まで達する共通の１つの壁で囲まれ、共通の収納空間部分を形成する。
【００２４】
軸方向に差込み部が伸長している主部の係止域を、収納空間に係止するか、押込むか、鋳込むか、又は別の方法により、固定してもよい。収納空間にコンタクトを固定する方法に応じて、係止域は、ほぼ遊びが無く固定される。収納空間内のコンタクトは、特に軸方向への動きが小さいので、例えば主部が横方向に曲げられるか、折り曲げられると、変形し易く形成された円筒状の変形域が変形する際に、係止域は収納空間に対して僅かしか移動しない。
【００２５】
好適な実施態様では、回路基板半田付け用コネクターのコンタクトは、少なくともその変形域の内部が空洞に形成されている。好ましくは、円筒状に形成された空洞が在ることにより、変形域における主部の安定性が低下し、空洞は半田部まで続いている。この場合、空洞の径は、変形域の周壁は主部よりも薄いが、電流を通すのに十分なように、選定することが好ましい。これにより、変形域が変形し易くなり、差込み部の半田部に対する横方向へ移動が大きくできる。
【００２６】
ある実施態様では、回路基板半田付け用コネクターの変形域は、コンタクトの縦軸に対して垂直及び／又は傾斜して、軸方向にずらして配置された少なくとも２つの隙間を備えている。それぞれの隙間は、変形域の周壁の少なくとも半分以上を伸長している。隙間は、変形域を主部の周壁及び／又は係止域を差込み部又は半田域に連結するそれぞれの変形域区分に分割する。変形域区分の連結位置は、特に変形域の変形し易い位置である。これにより、変形域区分が互いに傾いて、それぞれの隙間の大きさが増大及び／又は縮小する。この場合、変形域は、横方向のみ、斜方向のみ又は横方向及び斜方向に伸長する２つ又はそれ以上の隙間を備え、隙間が伸長する平面は、互いに０〜４５°の任意の角度で且つコンタクトの縦軸に交わる。
【００２７】
回路基板半田付け用コネクターの別の実施態様では、変形域は、コンタクトの縦軸方向に螺旋状に伸長する、少なくとも１つの隙間を備えている。この隙間は、変形域の周壁の少なくとも３／４以上に渉って周方向及び／又は軸方向に伸長する螺旋状スリットであることが好ましい。少なくとも１つの螺旋状の隙間が、変形域のほぼ全長に渉ってコンタクトの縦軸方向に伸長することが好ましい。２つ以上の螺旋状の隙間の場合には、主部の周方向並びに軸方向に互いにずれて配列される。これらの隙間が、変形域の周方向に回転対称にずれて配列されると、横方向の移動に対して優先する方向又は不利な方向が無くなるので、特に好ましい。変形域の螺旋状の隙間は、コンタクトの縦軸を横切るか及び／又は斜めに伸長する隙間と同様に作用する。
【００２８】
本発明の更に好適な実施態様では、隙間は、横スリット及び／又は斜スリット並びにコンタクトの縦軸に平行に伸長する縦スリットであり、横スリット及び／又は斜スリットはその末端が縦スリットの中心部と噛合って縦スリットに連結されことが好ましい。縦スリットを追加すると、変形域の剛性が更に低下する。追加の縦スリットは横及び／又は斜スリットよりも広く作成することが好ましい。これにより、変形域の変形に要する力は更に減ずることは明らかである。少なくとも２つの横及び／又は斜スリットによって形成される変形域区分は、互いに強く傾かせることが可能となる。そのため、差込み部は、半田域に対して横方向により大きく移動できる。
【００２９】
横及び／又は斜スリット末端と連結された縦スリットは軸方向に互いにずらして上下に配置することが好ましい。少なくとも２つの横及び／又は斜スリットを有する全ての実施態様では、隙間を変形域の周方向に互いに回転対称にずらして配置、すなわち変形域の周方向に均等に分配することが特に好ましいことが判明した。２つの横及び／又は斜スリットの場合には、隙間は互いに周方向に１８０°ずらして変形域に配置される。横及び／又は斜スリットの数が異なる場合には、３６０°／スリットの数の角度すらして配置する。これにより、差込み部を、半田域に対して回路基板に平行にあらゆる方向に均等に動かすことができるようになる。
【００３０】
全ての実施態様において、本発明の提案する回路基板用コネクターは、１極の場合には、プラグ又はソケット形状の差込み部を有する１つのコンタクトを備え、多極の場合には、プラグ及び／又はソケット形状の差込み部を有する多数のコンタクトを備えている。多極の場合、差込み部、主部の係止域及び変形域並びにコンタクトの半田域のそれぞれを、同じ大きさ及び形状に形成するか且つ／又は異なった大きさ及び形状に形成してもよい。これらの実施態様において、回路基板用コネクターが１極又は多極であっても、少なくとも１つのコンタクトの少なくとも主部の変形域部分は変形し易い材料であることが好ましい。原則的に、差込み部及び／又は半田域は別の材料でもよく、通常の連結方法により、主部と電気的にも機械的にも連結できる。
【００３１】
ある実施態様による多極の回路基板用コネクターでは、全てのコンタクトは、上述に特徴を伴った変形域を有する主部を備えている。複数のコンタクト又は変形域は、整列させた場合に相互に障害とならず且つ接触しないように配置されている。回路基板用コネクターの絶縁体を回路基板に対して整列することにより、１極並びに多極の場合も、間接的にコンタクトは相互に且つ基板に対しても整列される。この場合、変形域及び／又は半田域に絶縁体に、コンタクトを互いに電気的に隔離する隔壁を備えてもよい。いずれにせよ、コンタクトは、電気的に絶縁されて収納空間に収納されている。回路基板用コネクターの整列の際のコンタクトの変形を予防し且つ半田域のそれぞれの半田ピン又は半田パッドへの不必要な力がかかるのを防ぐためには、変形域の耐曲げ性又は耐座屈性は、主部の係止域又は半田域よりも遥かに小さい方が好ましい。
【００３２】
本発明による回路基板用コネクターのコンタクトは、特に切削加工品、旋盤加工品又は打抜きロール曲げ加工品として製造される。このような部品は、周知の方法により安価に製造できる。特に打抜きロール曲げ加工コンタクトでは、ロール加工の前に、横、斜行、縦又は螺旋状のスリットを打抜き加工する。これにより、あらゆる形状及び配置が可能となる。
【００３３】
本発明によるコネクターの配置では、回路基板に半田付けされた少なくとも２つの回路基板用コネクターを備えている。そのような回路基板に半田付けされた少なくとも２つの回路基板用コネクターでは、主部の変形域の配列によりもたらされる許容差補償に大きな効果を及ぼす。
【００３４】
以下、図面を用いて本発明による実施例の特徴及び長所を説明する。
【実施例】
【００３５】
図１は、例として、多極の回路基板（不図示）装着用コネクター１の縦断面を示す斜視図である。回路基板半田付け用コネクター１は、絶縁体２並びに収納空間３に収納された複数の縦長のコンタクト４を備えている。コンタクト４は、絶縁体２の回路基板に接する脚部５と逆側の頭部６の間を伸長している。複数のコンタクト４は同一形状であり、絶縁体２の頭部６に接する前端７に連なる差込み部８、それに連結する主部９、並びに絶縁体２の脚部５に接する後端１０に連なる半田域１１を備えている。主部９は、差込み部８に接する円筒状の曲げ難い係止域１２並びに係止域１２と半田域１１の間を伸長している円筒状の変形し易い変形域１３から成っている。このため、変形域１３の変形により、コンタクト４の差込み部８を、半田域１１に対して、又は絶縁体２を回路基板に対して横方向に動かすことができる。
【００３６】
主部９の係止域１２は、コンタクト４の差込み部８を収納空間３内に動かないように固定する。絶縁体２とそれぞれのコンタクト４の変形域１３の間の収納空間３の中及び／又は該収納空間の下に環状空隙１４が形成されている。これにより、絶縁体２に横方向の力が加わると変形域１３は、環状空隙１４内へと変形可能となる。コンタクト４は、その変形域１３が中空に形成され且つ先端部７に接する差込み部８の部分にバネコンタクト１５を備えている。本発明の回路基板半田付け用コネクター１のコンタクト４は、プレス曲げ加工部材が好ましい。実施例によっては、旋盤加工部材として形成してもよい。図２ａ〜図２ｅは、コンタクト４の例をそれぞれ２つ示す。
【００３７】
図２ａ〜図２ｅに図示した実施例のコンタクト４は、材料の条を打ち抜いてロール加工したものである。コンタクト４は、塑性加工可能な材料から製造した一体部品である。材料の条の厚さは、通常は０．２５〜０．４ｍｍである。変形域１３の高さが５ｍｍ、その直径が約１．５ｍｍの実施例では、変形域１３を曲げるか又は折ると、差込み部８は、半田域１１対して少なくとも側方の２つの方向に約０．３５ｍｍずれる。
【００３８】
図２ａ、２ｃに示す例のコンタクト４は、１つの変形域１３に、コンタクト４の縦軸に対し直交する軸方向にずらして配置した２つの隙間１６を備えている。それぞれの隙間１６は、変形域１３の周壁１８の半分の表面に伸長している。隙間１６は、変形域１３を主部９の周壁１８並びに／又は係止域１２を差込み部８又は半田域１１に連結する個々の変形域区分１７に分割する。変形域区分１７を、図３ａ〜３ｅ、図４ａ〜４ｃに図示する。この変形域区分１７の連結部は特に変形し易い。これにより、変形域区分１７が互いに傾いて、隙間１６の大きさ及び形状が変化する（図４ａ〜４ｃ参照）。
【００３９】
円形の変形域１３を有する図２ａ〜２ｅに示すコンタクト４では、隙間１６を、スリットとして形成している。図２ａ、２ｃに示すコンタクト４の変形域１３は、主部９の軸方向にずらして配置された、複数の横スリット１９を備えている。横スリット１９に加えて、縦方向に伸長する縦スリット２０を備えてもよく、横スリット１９の端部は縦スリット２０の中心と連結され互いに噛み合っている。ここでは、縦スリット２０は、横スリット１９よりも幅広である。図２ａでは、横スリット１９に連結するそれぞれの縦スリット２０は、変形域の外周に互いに並んで配置されている。図２ｃでは、２つの縦スリット２０は、上下に配置されている。
【００４０】
図２ｂは、横スリット１９の代わりに、斜スリット２１をとしての隙間１６を備えた管状の変形域１３を図示している。斜スリット２１は、コンタクト４の縦軸に対して傾斜して伸長している。２つの斜スリット２１は、軸方向にずれて配置され、変形域１３の周壁１８の少なくとも半分の表面を伸長している。この実施例では、縦スリットは備えていないが、原理的には備えることが可能である。
【００４１】
横スリット１９及び／又は斜スリット２１の代わりに、変形域１３は、螺旋状にコンタクト４の縦方向に伸長する少なくとも１つの隙間１６、好ましくは少なくとも変形域１３の周壁１８を３／４に渉って伸長する螺旋状スリット２２を備えてもよい。コンタクト４の縦方向に、変形域１３の全長に渉って少なくとも１つの螺旋状スリット２２が伸長していることが好ましい。図２ｄは、そのような１つ螺旋状スリット２２を有するコンタクトの例、図２ｅは、２つの螺旋状スリット２２を有する例を示している。隙間１６として形成した螺旋状スリット２２は、横スリット１９又は斜スリット２１と同様に作用する。図２ａ〜２ｅに示すコンタクト４、すなわち、隙間１６の全ての例、特に横スリット１９、斜スリット２１又は螺旋状スリット２２は、変形域１３の中心軸に対して回転対称である。
【００４２】
図３ａ〜３ｅは、図２ａ〜２ｅに示すコンタクト４の展開図である。ここでは、隙間１６の変形域１３における大きさ、形状、配置及び伸長状態は、図２よりも明瞭に図示されている。特に、差込み部８、主部９及び半田域１１、又特に変形域の長さと大きさの関係は、図２よりも明瞭に図示されている。
【００４３】
図４ａ〜４ｃは、図２ａ〜２ｃに示すコンタクト４の変形域１３の部分拡大図である。これらの図から、３つのそれぞれの変形域区分１７は互いに傾いていることは明らかであり、外側の２つの向きは互いに平行である。これにより、差込み部８は半田域１１に対し側方にずれることになる。図４の横スリット１９、傾斜スリット２１及び／又は縦スリット２０の形状としての隙間１６は、図２及び図３に示すものとは異なっていることは明らかである。
【符号の説明】
【００４４】
１    回路基板半田付け用コネクター
２    絶縁体
３    収納空間
４    コンタクト
５    （絶縁体の）脚部
６    （絶縁体の）頭部
７    （コンタクトの）前端
８    差込み部
９    主部
１０  （コンタクトの）後端
１１  半田域
１２  係止域
１３  変形域
１４  環状空間
１５  バネコンタクト
１６  隙間
１７  変形域区分
１８  周壁
１９  横スリット
２０  縦スリット
２１  斜スリット
２２  螺旋状スリット
【図１】
2014022368.tif 000003
【図２ａ】
2014022368.tif 000004
【図２ｂ】
2014022368.tif 000005
【図２ｃ】
2014022368.tif 000006
【図２ｄ】
2014022368.tif 000007
【図２ｅ】
2014022368.tif 000008
【図３ａ】
2014022368.tif 000009
【図３ｂ】
2014022368.tif 000010
【図３ｃ】
2014022368.tif 000011
【図３ｄ】
2014022368.tif 000012
【図３ｅ】
2014022368.tif 000013
【図４ａ】
2014022368.tif 000014
【図４ｂ】
2014022368.tif 000015
【図４ｃ】
2014022368.tif 000016